(57)【特許請求の範囲】
【請求項１】
制御装置を使用して、自動車における休止状態を監視する方法（２０）であって、
以下のステップ、すなわち、
前記制御装置のウェイクアップコントローラ（１０）は、前記休止状態において、前記制御装置に接続された前記自動車の複数の周辺構成要素の中から少なくとも１つを所定イベントの発生をもって選択するステップと、
前記ウェイクアップコントローラ（１０）は、前記選択された周辺構成要素の動作状態をチェックするステップと、
前記ウェイクアップコントローラ（１０）は、前記動作状態に応じて、前記自動車を前記休止状態から起動させるステップと、
を行うこと、
そして、前記制御装置は車載充電器の一部として構成されており、
更に、以下のステップ、すなわち、
前記車載充電器の第１のウェイクアップ出力部（１１）を用いてプラグをチェックするステップと、
前記車載充電器の第２のウェイクアップ出力部（１２）を用いてパイロットコンタクトをチェックするステップと、
前記車載充電器の第３のウェイクアップ出力部（１３）を用いて第２の押しボタンをチェックするステップと、
前記車載充電器の第４のウェイクアップ出力部（１４）を用いて第１の押しボタンをチェックするステップと、
を含むことを特徴とする方法（２０）。
【請求項２】
以下のステップ、すなわち、
前記ウェイクアップコントローラ（１０）の第１のモジュールは、前記動作状態をチェックするステップと、
前記ウェイクアップコントローラ（１０）の第２のモジュールは、前記ウェイクアップ出力部（１１、１２、１３、１４）を選択するステップと、
前記ウェイクアップコントローラ（１０）の第３のモジュール（２５）は、前記周辺構成要素について診断用の履歴情報を収集するステップと、
前記ウェイクアップコントローラ（１０）の第４のモジュール（２６）は、前記ウェイクアップ出力部（１１、１２、１３、１４）の接続動作の妥当性を監視およびチェックするステップと、
前記ウェイクアップコントローラ（１０）の第５のモジュールは、前記車載充電器のアイドリングを監視し続けるステップと、
を含むことを特徴とする、請求項１に記載の方法（２０）。
【請求項３】
以下のステップ、すなわち、
前記プラグが切り離され、前記第５のモジュールが、前記車載充電器の第１の動作状況（２１）で作動し、すべての前記ウェイクアップ出力部（１１、１２、１３、１４）から前記ウェイクアップ出力部（１１）を除いて、遮断するステップと、
前記プラグが接続され、前記第１のモジュールが、前記車載充電器の第２の動作状況（２２）で作動し、前記第１のウェイクアップ出力部（１１）に休止電流ＩPXYのみが流れるステップと、
前記プラグが接続され、信号が前記パイロットコンタクトに印加され、前記第２のモジュールが、前記車載充電器の第３の動作状況（２３）で作動し、すべての前記ウェイクアップ出力部（１１、１２、１３、１４）のそれぞれに休止電流が流れ、前記前記ウェイクアップ出力部がチェックされ、総休止電流が発生するステップと、
前記プラグが接続され、前記信号が不要になり、前記第２のモジュールおよび前記第１のモジュールが、前記車載充電器の第４の動作状況（２４）で作動し、前記第１のウェイクアップ出力部（１１）に休止電流ＩPXYに流れ且つ前記第２のウェイクアップ出力部（１２）に休止電流ＩCPに流れ、そして、前記第３のウェイクアップ出力部（１３）且つ前記第４のウェイクアップ出力部（１４）は無効化されるステップと、
を含むことを特徴とする、請求項２に記載の方法（２０）。
【請求項４】
以下のステップ、すなわち、
前記チェック動作は、前記周辺構成要素の診断抵抗を流れる休止電流を用いて行われるステップと、
前記ウェイクアップ動作は、前記診断抵抗の両端間で降下する読み取り電圧に応じて行われるステップと、
を含むことを特徴とする、請求項３に記載の方法（２０）。
【請求項５】
前記第２の動作状況（２２）において、前記第１のモジュールは、前記休止電流が、前記診断抵抗を流れているかどうかを、約３３０μｓの時間間隔で周期的に判断するように、前記プラグをチェックすることを特徴とする、請求項４に記載の方法（２０）。
【請求項６】
請求項１〜５のいずれか一項に記載の方法（２０）で、自動車における休止状態を監視する制御装置用のウェイクアップコントローラ（１０）であって、
以下の手段、すなわち、
前記制御装置に接続された前記自動車の複数の周辺構成要素の中から、少なくとも１つの周辺構成要素をイベント制御型の態様で選択する手段と、
前記選択された周辺構成要素の動作状態をチェックする手段と、
前記動作状態に応じて、前記自動車を起動させる手段と、
を含むことを特徴とするウェイクアップコントローラ（１０）。
【請求項７】
請求項１〜５のいずれか一項に記載の方法のすべてのステップを実行するように設計されたコンピュータプログラム。
【請求項８】
請求項７に記載のコンピュータプログラムが格納された機械可読の記憶媒体。
【発明の詳細な説明】
【技術分野】
【０００１】
本発明は、自動車における休止状態を監視する方法に関する。本発明はさらに、ウェイクアップコントローラの形態に対応する装置、対応するコンピュータプログラム、および対応する記憶媒体に関する。
【背景技術】
【０００２】
自動車における制御装置に休止電流を供給する様々な手法を先行技術に見ることができる。この種のいくつかの公知の制御装置、例えば、充電ケーブルを用いて、電気駆動式自動車のトラクションバッテリを据え置き型電力供給グリッドに接続するために設けられた車載充電器（ＯＢＣ）は、複数の周辺構成要素を有する。この種の周辺構成要素は、特に、情報を照査する、または読み取るように機能することができ、車載充電器の場合、例えば、情報を形成し、妥当性をチェックし、診断するための対応する診断抵抗を有するプラグコネクタ、押しボタン、または発光ダイオードを含む。さらに、「スリープ状態の」自動車の場合、前記自動車は、それに加えて、例えば、車載充電器の場合に、設けられた充電ソケットにプラグを接続する、または押しボタンを押すなど、使用者による対応する操作により、ウェイクアップコントローラによって起動される。したがって、自動車を起動すべきかどうかを決めるために、すべての診断抵抗に電流が印加されなければならず、読み取り電圧は、情報担体として処理されなければならない。これは、休止電流を急に増加させる。
【０００３】
そのため、（特許文献１）は、多数の車両サブシステムの入力部を有する車両監視システムを動作させる方法を提案している。車両は適宜待機モードに切り換えられ、通常は、多数の車両サブシステムによって入力部に印加される委託信号はない。この場合に、入力部は、繰り返しサイクルで委託信号があるかどうかを走査され、この走査プロセスは、所定の期間にわたって時間に関して調整される。走査ステップから走査ステップまでのサイクル間の時間は、この場合に、少なくとも特定の入力部において、各先行した走査ステップに対して、各所定の期間内に委託信号がないことを受けて引き延ばされる。
【０００４】
（特許文献２）は、いくつかのステーション間でデータを伝送する電子システムにおいて、信号レベルおよびウェイクアップレベルを適切に選択することで、部分的なシステムの作動が可能であり、ステーションの一部は互いに通信することができ、一方、他のステーションは休止モードであり、電力を節約すると記述している。
【０００５】
また、（特許文献３）は、車両の機能グループの待機動作用の回路を開示しており、機能グループは、制御装置、センサ、およびアクチュエータから形成される。前記回路は、車両がスイッチを切られ、待機動作が作動した場合に、機能グループに電圧を供給し、特定の範囲の機能を有効状態に保ち、かつ／または特定の範囲の機能を有効化し、他の範囲の機能を阻止するように働く。所定の時間を経て、または、例えば、エネルギ供給物の欠乏を示す所定のセンサ値が示された後、待機動作が自動的に動作を停止する。
【０００６】
（特許文献４）および（特許文献５）は、他の関連する方法、装置、制御システム、および媒体に関する。
【先行技術文献】
【特許文献】
【０００７】
【特許文献１】米国特許第６，１９８，９９５Ｂ１号明細書
【特許文献２】米国特許第６，６７４，７６２Ｂ２号明細書
【特許文献３】欧州特許第０  ５７１  ７１８Ｂ１号明細書
【特許文献４】米国特許第７，１８３，８９６Ｂ２号明細書
【特許文献５】ＫＲ  １０−１１３１５２６号明細書
【発明の概要】
【発明が解決しようとする課題】
【０００８】
本発明は、独立請求項による、自動車における休止状態を監視ずる方法、対応する装置、対応するコンピュータプログラム、および対応する記憶媒体を提供する。
【課題を解決するための手段】
【０００９】
特許請求の範囲によれば、制御装置のウェイクアップコントローラが、選択的およびイベント制御型の態様で周辺構成要素を選択し、個々の周辺構成要素のみをチェックすることで、前記ウェイクアップコントローラによる適応制御が実施される。
【００１０】
休止電流は、ウェイクアップコントローラを使用して、制御装置の周辺構成要素を自動的に特定および選択することで、大幅に低減することができる。
【００１１】
この問題解決策は、汎用型の車載充電器が使用される場合に、特に利益をもたらす。例えば、プラグが充電ソケットに差し込まれていない場合、周辺構成要素はチェックされず、充電プラグが充電ソケットに差し込まれているが、制御信号／ＣＰ信号がない場合、１つの周辺構成要素だけがチェックされる。
【００１２】
本発明のさらに有益な改良が、従属特許請求項に明示される。
【００１３】
本発明の例示的な実施形態が図面に示され、以下の本文でさらに詳細に説明される。
【図面の簡単な説明】
【００１４】
【図１】本発明によるウェイクアップコントローラの電子回路図を示している。
【図２】本発明による方法のブロック図を示している。
【図３】個々のウェイクアップ出力部に電流を印加するタイミングシーケンスを示している。
【発明を実施するための形態】
【００１５】
図１は、本発明による、自動車における休止状態を監視する制御装置用のウェイクアップコントローラ１０を示している。この場合に、制御装置は、図で上部から底部まで示された通りに列挙して、第１のウェイクアップ出力部１１、第２のウェイクアップ出力部１２、第３のウェイクアップ出力部１３、および第４のウェイクアップ出力部１４を有する車載充電器（ＯＢＣ）であり、これらのウェイクアップ出力部は、それぞれ、プラグ、パイロットコンタクト、第２の押しボタン、および第１の押しボタンに対応している。本発明の範囲から逸脱することなく、自動車のきわめて多岐にわたる、さらなる周辺構成要素（簡潔にするためにその全体を示していない）を車載充電器に接続することができるのは言うまでもない。
【００１６】
ウェイクアップコントローラ１０は、特定の休止電流ＩPXY、休止電流ＩCP、休止電流ＩPushbutton2、または休止電流ＩPushbutton1を用いて、例として挙げた各周辺構成要素をチェックすることができ、このために、これらの休止電流は、それぞれの周辺構成要素の診断抵抗を流れる。したがって、本発明による自動車用のウェイクアップ操作は、診断抵抗の両端間で降下し、それぞれの周辺構成要素の動作状態を示す読み取り電圧に応じて行うことができる。図２は、この手順の詳細を示している。
【００１７】
このために、図１による車載充電器のウェイクアップコントローラ１０は、イベント制御型の態様で、周辺構成要素の中から少なくとも１つの周辺構成要素を選択し、前記ウェイクアップコントローラは、上記の態様で、前記少なくとも１つの周辺構成要素の動作状態をチェックする。この場合、前記周辺構成要素の選択は、ウェイクアップコントローラ１０の第１のモジュールによって行われる。次に、ウェイクアップコントローラ１０の第２のモジュールが、対応するウェイクアップ出力部を選択する。ここで、ウェイクアップコントローラ１０の第３のモジュール２５は、診断用の履歴情報を収集し、一方、ウェイクアップコントローラ１０の第４のモジュール２６は、ウェイクアップ出力部１１、１２、１３、１４の接続動作の妥当性を監視およびチェックする。最後に、ウェイクアップコントローラ１０の第５のモジュールは、必要に応じて、車載充電器のアイドリングを監視し続ける。本発明に含まれる上記モジュールは、必要に応じて任意の態様で関連させることができ、単なる例示に過ぎない。
【００１８】
個々のモジュール間の機能上の相互作用は、例えば、次のように行うことができる、すなわち、第５のモジュールが、プラグは差し込まれていないと判断する限り、車載充電器の第１の動作状況２１が実現されている。この第１の動作状況２１では、すべてのウェイクアップ出力部１１、１２、１３、１４は遮断され、チェックはもはや行われず、このチェックにおいては、第１のウェイクアップ出力部１１のみが例外となる。この第１の動作状況２１では、休止電流は、従来の方法と比較して、１／１０まで低減される。
【００１９】
車載充電器の第２の動作状況２２では、プラグが差し込まれ、第１のモジュールが作動する。この第２の動作状況２２では、その時点で、休止電流ＩPXYのみが、第１のウェイクアップ出力部１１を流れる。
【００２０】
同じことが第３の動作状況２３には当てはまらず、第３の動作状況２３では、プラグが差し込まれるだけでなく、前記プラグのパイロットコンタクトにＣＰ信号が印加される。この場合に、第２のモジュールが作動する。この第３の動作状況２３では、それぞれの休止電流ＩPXY、ＩCP、ＩPushbutton2、ＩPushbutton1は、それぞれ第１のウェイクアップ出力部１１、第２のウェイクアップ出力部１２、第３のウェイクアップ出力部１３、および第４のウェイクアップ出力部１４を流れ、前記ウェイクアップ出力部はチェックされて、最大限の総休止電流ＩPXY＋ＩCP＋ＩPushbutton2＋ＩPushbutton1が発生する。
【００２１】
最後に、車載充電器の第４の動作状況２４では、プラグが差し込まれ、ＣＰ信号は不要になり、第２のモジュールが作動し、一方、第１のモジュールはモードを変える。したがって、単に休止電流ＩPXYが第１のウェイクアップ出力部１１を流れ、また、単に休止電流ＩCPが第２のウェイクアップ出力部１２を流れ、一方、第３のウェイクアップ出力部１３および第４のウェイクアップ出力部１４は無効化され、これは、休止電流の消費をかなり削減する。
【００２２】
本発明による手法の利点は、プラグが差し込まれただけの第２の動作状況２２に対応して図３に示す電流のウェイクアップ印加に見ることができる。この動作状況では、第１のモジュールは、休止電流ＩPXYが、使用者による押しボタンの平均操作持続時間に対応する、例えば、約３３０μｓの時間間隔で、プラグ接続の診断抵抗を周期的に流れるような方法で、時間ｔにわたってプラグをチェックし、一方、他のウェイクアップ出力部１２、１３、１４には電流は印加されない。したがって、例として、以下の平均休止電流が全体として発生する。
ＩPXY＋ＩCP＋ＩPushbutton2＋ＩPushbutton1＝１００μＡ
【符号の説明】
【００２３】
１０  ウェイクアップコントローラ
１１  第１のウェイクアップ出力部
１２  第２のウェイクアップ出力部
１３  第３のウェイクアップ出力部
１４  第４のウェイクアップ出力部
２０  方法
２１  第１の動作状況
２２  第２の動作状況
２３  第３の動作状況
２４  第４の動作状況
２５  第３のモジュール
２６  第４のモジュール
【図１】
0006321698.tif 000002
【図２】
0006321698.tif 000003
【図３】
0006321698.tif 000004